(57)【特許請求の範囲】
【請求項１】
上方の鉄塔構成部材の下端が、下方の鉄塔構成部材の上端の内側に連結された連結部を有する鉄塔の解体方法において、前記連結部の上方の前記鉄塔構成部材に切り込みを一部形成し、この切り込みの上下に亘って補強材を前記鉄塔構成部材に固定し、さらにこの一部の切り込みに繋がるように前記鉄塔構成部材に切り込みを形成して、前記鉄塔構成部材を切断し、この後、前記切り込みの下方に位置した前記鉄塔構成部材と補強材との固定を解除し、遠隔操作により取り外し可能な連結治具を、前記固定を解除した前記鉄塔構成部材と補強材に取り付けてこの両者を連結し、ヘリコプタから吊り下げられたフックを、前記鉄塔構成部材の吊り上げ部材に係合させた後、前記連結治具を操作して前記鉄塔構成部材と補強材との連結を解除し、前記ヘリコプタにより前記鉄塔構成部材を吊り上げて解体することを特徴とする鉄塔解体方法。
【請求項２】
前記切り込みの下方の鉄塔構成部材にジャッキ金具を固定し、前記鉄塔構成部材に固定された補強材を持ち上げた後、前記鉄塔構成部材と補強材との連結を解除することを特徴とする請求項１記載の鉄塔解体方法。
【請求項３】
前記鉄塔構成部材の吊り上げ部材は、解体される前記鉄塔構成部材に連結され、前記ヘリコプタから吊り下げられたフックに係合する環状部を形成した吊り上げワイヤであることを特徴とする請求項１又は２記載の鉄塔解体方法。
【発明の詳細な説明】
【技術分野】
【０００１】
この発明は、送電線が架設された鉄塔を解体するための、ヘリコプタを利用した鉄塔解体方法に関する。
【背景技術】
【０００２】
従来、古い鉄塔の解体作業では、鉄塔の周辺及びその近くの道路のまでの広い作業スペース及び搬送用道路が必要であり、作業のための準備期間やクレーンなどの大型の重機を長期間必要とし、さらに、用地の確保にも多くのコストがかかり、全体として膨大な費用を必要とする上、解体作業自体も工数のかかるものであった。
【０００３】
この問題を解決するため、特許文献１では、短期間に効率よく、安全に鉄塔の解体作業を行うことができるようにしたヘリコプタによる鉄塔解体方法及び作業用治具が提案されている。
【特許文献１】特開２００５−１３９６０８号公報
【発明の開示】
【発明が解決しようとする課題】
【０００４】
しかし、特許文献１で提案された解体方法は、断面Ｌ字状の鉄塔構成部材の連結部分において、下方の鉄塔構成部材の上端の外側に上方の鉄塔構成部材の下端内側を対面させてボルトとナットで固定している、いわゆる外付け構造の鉄塔を解体するものである。
【０００５】
一方、鉄塔構成部材の連結構造には、上方の鉄塔構成部材を下方の鉄塔構成部材の上端の内側に連結して成るいわゆる内付け構造のものもある。このような内付け構造の鉄塔の場合、特許文献１の解体方法は利用できないと言う問題があった。
【０００６】
この発明は、上記従来技術の問題に鑑みて成されたもので、内付けの鉄塔構成部材を簡単且つ安全に解体可能にするヘリコプタによる鉄塔解体方法を提供することを目的とする。
【課題を解決するための手段】
【０００７】
この発明は、上方の鉄塔構成部材の下端が、下方の鉄塔構成部材の上端の内側に連結された連結部を有する鉄塔の解体方法であって、前記連結部の上方の前記鉄塔構成部材に切り込みを一部形成し、この切り込みの上下に亘って補強材を前記鉄塔構成部材に固定し、さらにこの一部の切り込みに繋がるように前記鉄塔構成部材に切り込みを形成して、前記鉄塔構成部材を切断し、この後、前記切り込みの下方に位置した前記鉄塔構成部材と補強材との固定を解除し、遠隔操作により取り外し可能な連結治具を、前記固定を解除した前記鉄塔構成部材と補強材に取り付けてこの両者を連結し、ヘリコプタから吊り下げられたフックを、前記鉄塔構成部材の吊り上げ部材に係合させた後、前記連結治具を操作して前記鉄塔構成部材と補強材との連結を解除し、前記ヘリコプタにより前記鉄塔構成部材を吊り上げて解体する鉄塔解体方法である。
【０００８】
さらに、前記切り込みの下方の鉄塔構成部材にジャッキ金具を固定し、前記鉄塔構成部材に固定された補強材を持ち上げた後、前記鉄塔構成部材と補強材との連結を解除するものである。
【０００９】
また、前記鉄塔構成部材の吊り上げ部材は、解体される前記鉄塔構成部材に連結され、前記ヘリコプタから吊り下げられたフックに係合する環状部を形成した吊り上げワイヤでも良い。
【発明の効果】
【００１０】
この発明のヘリコプタによる鉄塔解体方法は、鉄塔の連結構造が内付け構造であっても簡単且つ安全に解体可能であり、鉄塔構成部材が外付け構造の場合と同様の処理により解体することができ、解体作業の効率化を図ることができる。
【発明を実施するための最良の形態】
【００１１】
以下、この発明のヘリコプタによる鉄塔解体方法の一実施形態について、図１〜図６を基にして説明する。この実施形態の鉄塔解体方法は、図１〜図３に示すように、鉄塔解体作業用治具１０を用いて、鉄塔１２の鉄塔構成部材１４をヘリコプタ４０により吊り上げて解体するものである。
【００１２】
この実施形態の鉄塔１２の鉄塔構成部材１４の主柱材の連結構造は、図４〜図６に示すように、鉄塔構成部材１４の連結部１４ａにおいて、上方の鉄塔構成部材１４の下端が、下方の鉄塔構成部材１４の上端の内側に連結して成る、いわゆる内付け構造の部分を含むものである。
【００１３】
この実施形態に用いられる鉄塔解体用治具１０は、架台台座１６を介して鉄塔構成部材１４に取り付けられている。この架台台座１６には、扇型の中心付近に中心貫通孔が設けられ、この中心貫通孔を中心とする適宜な大きさの円周上の位置には、複数の調節孔が等間隔に開孔されている。そして、架台台座１６の中心貫通孔と適宜な調節孔に対して、ボルトなどにより、柱状の金具用支持材２２が各々取り付けられている。
【００１４】
金具用支持材２２は、金属製のパイプ材から形成され、架台台座１６への取付箇所は、一端部を適宜な長さの板状に形成され、端部に向かってテーパ状に形成され貫通孔が形成されている。金具用支持材２２の他方の端部は開口し、各々吊り上げワイヤ連結金具２０が載置されている。吊り上げワイヤ連結金具２０は、Ｌ型鋼材を適宜な長さで切断し、その一端に矩形の金属板材が溶接されて一体の蓋部が形成され、さらに、蓋部の板材の中心に貫通孔が設けられ、この貫通孔に、図示しない連結係合部の適宜な長さの金属棒状の係合部が挿通され構成されている。連結係合部には、環状部材である連結金具を介して、両端に環状部材である連結リングが設けられた吊り上げワイヤ３２が各々連結されている。吊り上げワイヤ３２両端の連結リングには、他の連結金具を介して、端部に連結リングが設けられた搬送用ワイヤ３４が各々連結されている。搬送用ワイヤ３４は、下端部が解体して吊り上げる部分の鉄塔構成部材に連結されている。
【００１５】
次に、この実施形態の鉄塔解体方法について説明する。まず、鉄塔解体作業用治具１０を、図１の仮想線に示すように、例えば４つに解体される鉄塔１２の最上部及び各分離箇所にそれぞれ取り付ける。この際、鉄塔１２に取り付けられた架台台座１６に合わせて、金具用支持材２２が垂直になるように調節孔の固定位置を選択し、載置された一対の吊り上げワイヤ金具の位置が同じになるように揃えて固定する。
【００１６】
ここで、鉄塔１２の鉄塔構成部材１４が、図４〜図６に示すような内付け構造である場合について説明する。まずこの内付け構造は、鉄塔構成部材１４の連結部１４ａが、上方の鉄塔構成部材１４を下方の鉄塔構成部材１４の上端の内側に連結して成るものである。内付け構造の鉄塔構成部材１４は、図４（ａ）に示すように、下方の鉄塔構成部材１４の上端の内側に、上方の鉄塔構成部材１４の下端を連結ボルト１３と図示しないナットにより連結して成るものである。
【００１７】
次に、この内付け構造の部分の鉄塔構成部材１４の解体のための準備工程について、以下に説明する。まず、図４（ａ）に示すように、主柱材の連結部１４ａの上方に補強材等取り付け用の穴５０を所定箇所に形成する。この後、図４（ｂ），（ｃ）に示すように、鉄塔構成部材１４の一部に切り込み５２を入れる。切り込み５２の位置は、複数の穴５０の中間位置である。切り込み５２の形成は、金属切断用のバンドソー５４を用いる。切り込み位置は、図４（ｃ）に示すように、まず、鉄塔構成部材１４の角部に一部切り込み５２を入れる。次に、図４（ｄ）に示すように、鉄塔構成部材１４の一外側面にＬ型アングル材等の補強材５６を固定する。補強材５６の固定は、図５に示すように、穴５０にボルト５７を通しナット５８により固定する。さらに、図４（ｅ）に示すように、補強材５６の一方の側片をバンドソー５４により切断し、切り込み５２を形成する。
【００１８】
次に、図５（ａ），（ｂ）に示すように、切り込み５２を入れた鉄塔構成部材１４の互いに直交する他方の側面に、補強材５６を固定する。そして、図５（ｃ），（ｄ）に示すように、先に取り付けて切り込み５２が形成されていない側片の補強材５６を取り外す。そして、図５（ｅ）に示すように、先の切り込み５２に繋がるように、鉄塔構成部材１４の他方の側面にも、バンドソー５４により切り込み５２を形成し、鉄塔構成部材１４を完全に切断する。
【００１９】
そして、図６（ａ）に示すように、図５（ｅ）で形成した切り込み５２により切断した箇所の鉄塔構成部材１４の外側面に補強材５６を固定し、鉄塔構成部材１４の外側二側面に補強材５６を固定して、確実に強度及び連結状態を維持させる。さらに、補強材５６の下端部の鉄塔構成部材１４に、ジャッキ金具５８を図示しないボルトを穴５０に挿通して、図示しないナットとともに固定する。
【００２０】
ジャッキ金具５８は、ヘリコプタ４０により搬送する部分と残る鉄塔構成部材１４の少なくともいずれかに取り付けられる。この実施形態では残る部分の鉄塔構成部材１４に図示しないボルトとナットにより固定される。このジャッキ金具５８は、図６に示すように、断面がＬ字状の支持部６０と、支持部６０の下面に先端部が固定された雄ねじ部材６１と、この雄ねじ部材６１に螺合したナット部材６２と、このナット部材６２を受ける受け部６３とから成る。受け部６３には、貫通孔が形成され、この貫通孔と同軸に、雄ねじ部材６１が挿通され安定に雄ねじ部材６１をガイドする挿通支持部６４を備える。そして、ナット部材６２を回転させることにより、雄ねじ部材６１が上昇し、先端の支持部６０が上昇するものである。支持部６０は、補強材５６の下端に当接させておく。
【００２１】
鉄塔１２の解体に際しては、ナット部材６２を回転させて支持部６０により補強材５６の下端面を僅かに押し上げる。これにより、切り込み５２より下方の鉄塔構成部材１４と補強材５６を連結したボルト５７を取り外しやすくなる。そして、鉄塔１２の４本の主柱材の鉄塔構成部材１４について、順にジャッキ金具５８のナット部材６２により補強材５６を僅かに押し上げて、ボルト５７を外す。
【００２２】
各主柱材について切り込み５２より下方の連結ボルト１３を外した後は、図１に示すように、補強材５６のボルト穴と鉄塔構成部材１４の穴５０とに連結治具６４を取り付けて、鉄塔構成部材１４の外れを防止する。連結治具６４は、補強材５６と鉄塔構成部材の穴５０に挿通される図示しない軸部材と、軸部材の先端部に取り付けられる抜け止め用のピンを備えている。そして、連結治具６４の筒状の外装部材６６に軸部材が挿通され、軸部材の基端部には持ち手６８が取り付けられている。外装部材６６内には、弾性部材であるコイルバネが挿入され、軸部材を退避方向に付勢している。また、軸部材に係止されたピンは、図示しない紐により、地上側から引き抜き可能に設けられている。
【００２３】
この実施形態のヘリコプタによる鉄塔解体方法における解体時には、４本の主柱材について、各々補強材５６のボルト５７の取り外しが終了し、連結治具６４の取付が完了すると、ヘリコプタ４０を鉄塔１２の上方に位置させる。そして、ヘリコプタ４０空吊り下げられたフック４４を、鉄塔１２上の吊り上げワイヤ３２に係合させる。係合が確実に成されたら、ヘリコプタ４０は上昇を始め、ヘリコプタ４０から地上の作業員に連絡する。連結治具６４のピンには、遠隔操作部材である紐が結び付けられ、下方から紐を引くことによりピンが軸部材から抜け落ちるように構成されている。そして、ヘリコプタ４０からの連絡を受けて、地上の作業員が紐を引いて、ピンを軸部材から引き抜く。すると、コイルバネの付勢力により、軸部材が外装部材６６内に退避し、主柱材の鉄塔構成部材１４から軸部材が抜け落ちる。連結治具６４は、紐によりジャッキ金具５８に繋がっているので、地上へ落下することはない。
【００２４】
この状態で、搬送される側の鉄塔構成部材１４は、補強材５６の下端面がジャッキ金具５８に載っているだけとなるが、ヘリコプタ４０により吊り下げられているので、そのままヘリコプタ４０の上昇とともに、空中に吊り上げられる。そして、図３に示すように、吊り上げられた鉄塔構成部材１４は、そのままヘリコプタ４０により所定の場所へ搬送される。
【００２５】
上述の内付け構造の鉄塔解体工法は、外付け構造の鉄塔構成部材１４の解体方法における上側の鉄塔構成部材を、補強材５６に置き換えたものである。
【００２６】
この実施形態の鉄塔解体方法によれば、鉄塔１２の主柱材が内付け構造で取り付けられている部分があった場合も、外付け構造の主柱材の解体工法と同様に処理することができ、作業性が良く、安全性も高いものである。
【００２７】
なお、この発明の鉄塔解体方法は、上記実施形態に限定されるものではなく、各ワイヤや支持材などは、十分な強度を備えていれば、各部材の形状や素材など適宜変更可能であり、作業工程も適宜変更可能なものである。
【図面の簡単な説明】
【００２８】
【図１】この発明の一実施形態の鉄塔解体作業に用いる治具等を示す正面図である。
【図２】この実施形態の鉄塔解体方法において、ヘリコプタによる鉄塔構成部材の吊り上げ待ち状態を表す概略図である。
【図３】この実施形態の鉄塔解体方法において、ヘリコプタにより解体部分の鉄塔構成部材を吊り上げた状態を表す概略図である。
【図４】この実施形態の鉄塔解体方法に用いられる内付け構造の鉄塔構成部材及び切断工程を示す概略図である。
【図５】この実施形態の鉄塔解体方法に用いられる内付け構造の鉄塔構成部材及び次の切断工程を示す概略図である。
【図６】この実施形態の鉄塔解体方法に用いられる内付け構造の鉄塔構成部材及び補強材の取り付け状態を示す正面図である。
【符号の説明】
【００２９】
１０  鉄塔解体作業用治具
１２  鉄塔
１４  鉄塔構成部材
１４ａ  連結部
１６  架台台座
２０  吊り上げワイヤ連結金具
２２  金具用支持材
３２  吊り上げワイヤ
３４  搬送用ワイヤ
４０  ヘリコプタ
４２  フック
５２  切り込み
５６  補強材
５８  ジャッキ金具
６４  連結治具
【図１】
0004755479.tif 000002
【図２】
0004755479.tif 000003
【図３】
0004755479.tif 000004
【図４】
0004755479.tif 000005
【図５】
0004755479.tif 000006
【図６】
0004755479.tif 000007